(57)【要約】【課題】本発明は２種類の管径の枝管に接続が可能で、作業効率がよい、かつ通水性能が円滑である宅内で使用する分岐用継手を提供することを課題とする。【解決手段】排水管接続口及び枝管接続口を備える分岐用継手１であって、枝管接続口に管径の異なる枝管を接続可能に、枝管接続口外面に差口と枝管接続口内面に受口を形成し、かつ、枝管接続口内面には、枝管接続時、枝管の管底を除き、間欠的に複数の断面円弧状の段部を設けたので、管路内の通水性能がよく、配管時の作業効率がよい。【選択図】  図３
2005113419.tif 000002
【特許請求の範囲】
【請求項１】
継手本体の両側に上流排水管接続口及び下流排水管接続口を備え、継手本体の分岐部に枝管接続口を有する分岐用継手において、枝管接続口へ管径の異なる枝管を接続可能に、枝管接続口内面に受口、枝管接続口外面に差口を形成し、かつ、枝管接続口内面には、枝管接続時、枝管接続口の管底を除き、間欠的に複数の断面円弧状の段部を有する受口としたことを特徴とする分岐用継手。
【請求項２】
枝管接続口が継手本体の管接線に達する位置まで、枝管接続口を偏心したことを特徴とする請求項１記載の分岐用継手。
【請求項３】
枝管接続口内面が継手本体の管軸を越える位置まで、枝管接続口を偏心したことを特徴とする請求項１記載の分岐用継手。
【請求項４】
継手本体の両側に下流排水管接続口及び枝管接続口を備え、排水管の始点に枝管を接続する分岐用継手において、枝管接続口へ管径の異なる枝管を接続可能に、枝管接続口内面に受口、枝管接続口外面に差口を形成し、かつ、枝管接続口内面には、枝管接続時、枝管接続口の管底を除き、間欠的に複数の断面円弧状の段部を有する受口としたことを特徴とする分岐用継手。
【請求項５】
枝管接続口の内面を、呼び径２０の枝管を接続する受口とし、枝管接続口の外面を、呼び径２５の枝管を接続する差口とし、排水管接続口を、ＪＩＳＫ６７３９で規格化されたＤＶ受口、もしくは塩化ビニル管・継手協会規格ＡＳ３８で規格化されたＶＵ受口としたことを特徴とする請求項１〜４記載の分岐用継手。
【発明の詳細な説明】
【技術分野】
【０００１】
本発明は戸建て住宅や集合住宅の屋内排水配管において、食器洗浄機等の排水設備と接続された枝管を、宅内の排水管に合流させる場合に使用する分岐用継手に関するものである。
【背景技術】
【０００２】
通常、台所のシンクからの排水管は呼び径５０の塩ビ管を使用する。例えば食器洗浄機等、排水設備からの排水を宅内の排水管に接続する場合、まず、排水設備から枝管を取り出し、分岐用継手を介し排水管に合流させる。ところが、採用する食器洗浄機の排水量により、枝管は呼び径２０もしくは呼び径２５の塩ビ管を使用する。そのため、配管施工前に枝管のサイズを確認し、枝管の管種に適合した図９に示す継手（ＴＳ受口規格品のチーズ）をサイズ別に２種類、前もって準備する必要があった。
【０００３】
また、シンクのトラップのすぐ下に排水ホースを取り付ける専用の分岐継手が示されている。（特許文献１参照）
【０００４】
また、接続機器の排水ホースを接続するために、排水管の分岐部に孔を形成し、サドル型の配管接続具を使用する事例、また、両端に排水管接続口を備え、排水ホースの分岐口を持つＹ字管継手を使用する事例が示されている。（特許文献２参照）
【０００５】
【特許文献１】特開平８−１９９６４５（第３−４頁、図２）
【特許文献２】特開平７−１５８１３２（第２−４頁、図１，図７）
【発明の開示】
【発明が解決しようとする課題】
【０００６】
しかしながら、食器洗浄機から排水管へ接続する枝管は呼び径２０もしくは呼び径２５の塩ビ管のうちの、どちらかを使用することになるので、常に２種類のサイズの接続用継手を在庫しておく必要があり、作業効率が良くなかった。
【０００７】
さらに、シンク下のスペースの有効活用のため、また床下で一括配管することによる作業の効率アップのため、通常、シンクからの排水管や、食器洗浄機などの排水設備からの枝管を床下に取り出し、床下の横配管部で排水管に枝管を合流させる配管を行っている。しかし、横配管での合流は床下のスペースに納める配管施工になるので、特に高さ方向の配管スペースを低くすることが好ましく、従来例の図１５で示す向きで、規格品のチーズ（Ｔ）の対向する両端に排水管を接続し、枝管受口（Ｂ）に枝管（Ｅ）を接続し合流させた場合、枝管（Ｅ）のチーズ本体（Ｍ）への合流位置（Ｇ）が排水管の管路に対し低く、排水管の流量により枝管への逆流や、合流部での満水の発生により食器洗浄機側器具トラップの封水破壊が生じる問題があった。
【０００８】
また、排水管にＶＵ管を使用した場合、呼び径２０もしくは呼び径２５の枝管受口（Ｂ）を持った通常使用するチーズ（ＴＳ受口規格）は、排水管受口もＴＳ受口規格のため、排水管受口で通水方向に逆段差が生じ、排水のスムースな流れが阻害される問題があった。
【課題を解決するための手段】
【０００９】
本発明は上記従来の課題を解決するための手段として、請求項１記載の分岐用継手（１Ａ）は、継手本体（２Ａ）の両側に上流排水管接続口（３Ａ）及び下流排水管接続口（４Ａ）を備え、継手本体（２Ａ）の分岐部（５Ａ）に枝管接続口（６Ａ）を有する分岐用継手において、枝管接続口（６Ａ）へ管径の異なる枝管を接続可能に、枝管接続口内面に受口（６２Ａ）、枝管接続口外面に差口（６１Ａ）を形成し、かつ、枝管接続口内面には、枝管接続時、枝管接続口（６Ａ）の管底を除き、間欠的に複数の断面円弧状の段部（６３Ａ，６３Ｂ，６３Ｃ，６３Ｄ）を有する受口（６２Ａ）としたことを特徴とする分岐用継手（１Ａ）である。
【００１０】
また請求項２記載の分岐用継手（１Ａ）は枝管接続口外面が継手本体（２Ａ）の管接線（１５）に達する位置まで、管接続口（６Ａ）を偏心したことを特徴とする請求項１記載の分岐用継手（１Ａ）である。
【００１１】
また請求項３記載の分岐用継手（１Ｂ）は枝管接続口内面が継手本体（２Ｂ）の管軸（１６）を越える位置まで、枝管接続口（６Ｂ）を偏心したことを特徴とする請求項１記載の分岐用継手（１Ｂ）である。
【００１２】
また請求項４記載の分岐用継手（１Ｃ）は継手本体（２Ｃ）の両側に下流排水管接続口（４Ｃ）及び枝管接続口（６Ｃ）を備え、排水管の始点に枝管を接続する分岐用継手において、枝管接続口（６Ｃ）へ管径の異なる枝管を接続可能に、枝管接続口内面に受口（６２Ｃ）、枝管接続口外面に差口（６１Ｃ）を形成し、かつ、枝管接続口内面には、枝管接続時、枝管接続口（６Ｃ）の管底を除き、間欠的に複数の断面円弧状の段部（６３Ｉ，６３Ｊ，６３Ｋ，６３Ｌ）を有する受口（６２Ｃ）としたことを特徴とする分岐用継手（１Ｃ）である。
【００１３】
また請求項５記載の分岐用継手は、枝管接続口の内面を、呼び径２０の枝管を接続する受口とし、枝管接続口の外面を、呼び径２５の枝管を接続する差口とし、排水管接続口を、ＪＩＳＫ６７３９で規格化されたＤＶ受口、もしくは塩化ビニル管・継手協会規格ＡＳ３８で規格化されたＶＵ受口としたことを特徴とする請求項１〜４記載の分岐用継手である。
【発明の効果】
【００１４】
本発明の分岐用継手（１Ａ）は枝管接続口（６Ａ）に２種類の管径の枝管（１１Ｃ，１２Ｃ）が接続できるので、配管工事にあたり、１種類の分岐用継手（１Ａ）を準備するだけで良く、配管材料の保管在庫を削減できる。また、枝管（１１Ｃ）接続時、枝管接続口（６Ａ）の受口（６２Ａ）を使用する場合は、枝管接続口（６Ａ）の内面にはストッパーとして段部（６３Ａ，６３Ｂ，６３Ｃ，６３Ｄ）を形成しており位置決め作業が容易であり、作業効率がよい。
【００１５】
さらに、枝管接続時、継手本体（２Ａ，２Ｂ）の上部側に枝管接続口（６Ａ，６Ｂ）を偏心させているので、枝管は排水管の管頂側で合流し、高さ方向の省スペースが可能となる。さらに排水管から枝管側に逆流することなく、また、食器洗浄機側器具トラップの封水破壊が発生することなく円滑な通水が確保できる。
【００１６】
また、排水管接続口を塩化ビニル管・継手協会規格ＡＳ３８で規格化されたＶＵ受口としたので、排水管にＶＵ管を使用しても管路内には逆段差が出来ないので円滑な通水が確保できる。またＪＩＳＫ６７３９で規格化されたＤＶ受口とした場合は、排水管にＶＰ管が使用可能となり、使用する管種に応じた適切な配管方法のが可能となり作業効率がよい。
【発明を実施するための最良の形態】
【００１７】
以下、本発明を実施例１により詳細に説明する。
【実施例１】
【００１８】
本発明の分岐用継手（１Ａ）を図１〜図５に示す実施例１によって説明する。図１に示す分岐用継手（１Ａ）は継手本体（２Ａ）の両側に上流排水管接続口（３Ａ）及び下流排水管接続口（４Ａ）を差し出し、継手本体（２Ａ）の分岐部（５Ａ）から枝管接続口（６Ａ）を差し出している。また、上流排水管接続口（３Ａ）及び下流排水管接続口（４Ａ）には円周方向４５度刻みで排水管（１０Ｂ，１０Ｃ）の管頂と位置合わせするための表示部（Ｍ１，Ｍ２，Ｍ３，Ｍ４，Ｍ５，Ｍ６）を設けている。また図２には通常、枝管を接続する時の一般的な枝管接続口（６Ａ）の向き（水平方向）を示しており、直行する上流排水管接続口（３Ａ）及び下流排水管接続口（４Ａ）に対し、枝管接続口（６Ａ）は継手本体（２Ａ）の管頂側へ偏心させている。
【００１９】
図３に示すように、上流排水管接続口（３Ａ）及び下流排水管接続口（４Ａ）にはそれぞれ、排水管（１０Ｂ，１０Ｃ）を接続する排水管受口（３１Ａ，４１Ａ）を形成し、排水管受口の奥部には排水管接続時のストッパー（３２，４２）を形成している。
【００２０】
図４に示すように、枝管接続口（６Ａ）の内面は枝管（１１Ｃ）を接続する受口（６２Ａ）を形成しており、また、図５に示すように、枝管接続口（６Ａ）の外面は、ソケット（１４）を介して、異なる管径の枝管（１２Ｃ）を接続する差口（６１Ａ）を形成している。
【００２１】
さらに 受口（６２Ａ）の奥部には断面円弧状の段部（６３Ａ、６３Ｂ、６３Ｃ、６３Ｄ）を形成し、枝管（１１Ｃ）接続時のストッパーとしている。段部は、受口（６２Ａ）の内面に、正面視斜め４５度方向の位置で、受口（６２Ａ）中心に対し、対称かつ間欠的に４箇所設置しており、受口（６２Ａ）の内面円接線に平行な直線と、受口（６２Ａ）の内面円弧とで囲む断面円弧状に突出形成している。また、枝管の接着のため、所定の接着面積を確保した受口（６２Ａ）奥部内面の所定位置から継手本体（２Ａ）の分岐部（５Ａ）に至るまで延長し形成している。（図３，図４、参照）なお、段部を除く管路（６４Ａ，６４Ｂ，６４Ｃ，６４Ｄ）は通水方向に受口（６２Ａ）と続く管路であり、間欠的に図３で示すように、枝管接続口（６Ａ）の管底（６６）、管頂（６５）及び管底、管頂と９０度方向の４箇所に受口（６２Ａ）と同一円周面の段差のない管路を形成している。
【００２２】
また、分岐用継手（１Ａ）の枝管接続口（６Ａ）はチーズ本体（Ｍ）の中央から分岐されている図１５で示す規格品のチーズ（Ｔ）と比較して、枝管接続口（６Ａ）を継手本体（２Ａ）の管接線（１５）を含む位置まで偏心させ分岐している。すなわち枝管接続時、受口（６２Ａ）の管頂と継手本体（２Ａ）内周の管頂が直角にクロスしている。（図４参照）
【００２３】
次に図６で示す実施例２について説明する
【実施例２】
【００２４】
図６に示すように、上流排水管接続口（３Ｂ）及び下流排水管接続口（４Ｂ）にはそれぞれ、排水管受口（３１Ｂ，４１Ｂ）を形成し、実施例１と同様、枝管接続口（６Ｂ）の内面は枝管を接続する受口（６２Ｂ）を形成しており、また、枝管接続口（６Ｂ）の外面はソケットを介して、異なる管径の枝管を接続する差口（６１Ｂ）を形成している。
【００２５】
さらに 受口（６２Ｂ）の奥部には断面円弧状の段部（６３Ｅ、６３Ｆ、６３Ｇ、６３Ｈ）を形成し、枝管接続時のストッパーとしている。段部は受口（６２Ｂ）の内面に、正面視斜め４５度の位置で、対称かつ間欠的に４箇所設置しており、受口（６２Ｂ）の内面円接線に平行な直線と、受口（６２Ｂ）の内面円弧とで囲む断面円弧状に突出形成している。また、段部を除く管路は通水方向に受口（６２Ｂ）内面と連続した管路を形成している。
【００２６】
また、分岐用継手（１Ａ）の枝管接続口（６Ａ）はチーズ本体（Ｍ）の中央から分岐されている図１５で示す従来の枝管接続口（Ｂ）と比較して、図６で示すとおり、枝管接続時、枝管接続口（６Ｂ）を、受口（６２Ｂ）管底が継手本体（２Ｂ）の管軸（１６）を越える位置まで偏心し、分岐部（５Ｂ）から枝管接続口（Ｂ）と同じ向きに分岐している。
【００２７】
次に図７，８で示す実施例３について述べる
【実施例３】
【００２８】
図７に示すエルボ形分岐用継手（１Ｃ）は排水管の始点に接続し、立管である枝管（１１Ｄ）を横配管へ９０°に変換し、合流させている。継手本体（２Ｃ）の一方に下流排水管接続口（４Ｃ）を備え、排水管接続口（４Ｃ）には排水管受口（４１Ｃ）を形成し、排水管（１０Ｊ）を接続している。継手本体（２Ｃ）の他方には枝管接続口（６Ｃ）を備え、枝管接続口（６Ｃ）内面に枝管（１１Ｄ）の受口（６２Ｃ）を形成し、枝管（１１Ｄ）を差し込み接続している。また、外面にはソケット（不図示）を介し、管径の異なる枝管を接続可能にする差口（６１Ｃ）を形成している。さらに、枝管接続口内面には、図８に示すとおり、正面視斜め４５°方向の対向する位置に、実施例１，２と同様に、間欠的に複数の断面円弧状の段部（６３Ｉ，６３Ｊ，６３Ｋ，６３Ｌ）を形成し、枝管受口ストッパーとしている。また、段部を除く管路は通水方向に受口（６２Ｃ）内面と連続した円滑な管路を形成している。
【００２９】
次に本発明の実施例１の分岐用継手（１Ａ）を使用した配管を図９〜図１１に示し詳細に説明する。図９は本発明の実施例１の分岐用継手（１Ａ）を使用した配管であり、台所のシンク（不図示）に接続した呼び径５０の排水用塩ビ管（ＶＵ管）である排水管（１０Ａ）及び食器洗浄機（不図示）に接続した呼び径２０の水道用塩ビ管（ＶＰ管）である枝管（１１Ａ）を床（Ｆ）から床下に取り込み、エルボ（７Ａ，８Ａ）を介して横引き配管に変換し、床下で分岐用継手（１Ａ）により排水管（１０Ｂ）に枝管（１１Ｃ）を合流させている。合流させた排水管（１０Ｃ）をさらに延長し、屋内の集合ます（不図示）、もしくは建物の基礎部を貫通し、屋外の排水ます（不図示）へ接続している。
【００３０】
図１０は図９の配管の平面視模式図であり、図１０に示すように、横引き配管された呼び径２０の枝管（１１Ｂ）はエルボ（８Ｂ）を介し、分岐用継手（１Ａ）の管頂側から排水管へ合流する。すなわち、図４に示すように枝管接続口（６Ａ）の受口（６２Ａ）に枝管（１１Ｃ）を接続する。この時、図３に示す受口（６２Ａ）内の段部（６３Ａ、６３Ｂ、６３Ｃ、６３Ｄ）は ０．５〜１．５ｍｍ高さであり、枝管（１１Ｃ）の端面厚み以下に収まっているので、上流から下流へ排水は円滑に通水する。
【００３１】
図１１で示す配管は食器洗浄機（不図示）から呼び径２５のＶＰ管である枝管（１２Ａ）が接続されており、エルボ（９Ａ）を介して横引き配管とし、さらに横引き配管された呼び径２５の枝管（１２Ｂ，１２Ｃ）はエルボ（９Ｂ）、ソケット（１４）を介しを分岐用継手（１Ａ）の管頂側から排水管へ合流させる。すなわち、図５に示すように、枝管（１２Ｃ）にソケット（１４）を接続し、さらにソケット（１４）と枝管接続口の差口（６１Ａ）が接続される。この時、図３に示したように、受口（６２Ａ）は流路となるが、段部を除く管路（６４Ａ，６４Ｂ，６４Ｃ，６４Ｄ）は枝管受口（６２Ａ）と同一パイプ面上の管路であり、排水は円滑に通水する。すなわち、１種類の分岐用継手（１Ａ）によりサイズの異なる２種類の枝管（１１Ｃ，１２Ｃ）が接続できるので作業効率がよい。
【００３２】
また、図３、図４に示すように、実施例１の分岐用継手（１Ａ）は枝管接続時、枝管受口（６２Ａ）の管頂（６５）が継手本体（２Ａ）の内面管頂部とクロスしており、枝管（１１Ｃ）の排水は継手本体（２Ａ）の上部から合流するので、排水管（１０Ｂ）の排水流量に対し、枝管側配管が逆流等の影響を受けにくい。さらに、図６に示すとおり実施例２の分岐用継手（１Ｂ）を使用することにより、枝管接続時、枝管受口（６２Ｂ）の管底が継手本体（２Ｂ）の管軸（１６）より上位にあるので、排水管の流量の影響をより受けにくい。加えて、枝管接続口（６Ｂ）を上向きに角度をとらなくても良いので、高さ方向の省スペース配管が可能である。
【００３３】
図３〜図６に示すように、分岐用継手は、枝管接続口の内面を、呼び径２０の枝管を接続する受口とし、枝管接続口の外面を、呼び径２５の枝管を接続する差口として寸法設定しているので、枝管は呼び径２０もしくは、呼び径２５の水道用ＪＩＳ規格品の一般用ＶＰ管、耐衝撃性ＶＰ管、及び耐熱性ＶＰ管を使用することが出来る。また分岐用継手（１Ａ，１Ｂ）の排水管接続口を、塩化ビニル管・継手協会規格ＡＳ３８で規格化された呼び径５０のＶＵ受口としたので、呼び径５０の排水管にＶＵ管を使用しても管路内は平滑面を形成し、円滑な通水が確保される。また、排水管接続口をＪＩＳＫ６７３９で規格化されたＤＶ受口とした場合、排水管にＶＰ管を使用することが可能となり、適切な分岐用継手が選定でき作業効率がよい。
【００３４】
次に、食器洗浄機がシンクの上流側に設置されている場合に適した配管事例として、図１２で示す実施例３の分岐用継手（１Ｃ）を使用した配管について説明する。排水設備からの呼び径２０の枝管（１１Ｄ）を床（Ｆ）から床下に取り込み、エルボ形分岐用継手（１Ｃ）の枝管接続口（６Ｃ）に接続し、９０°方向を変え、排水管接続口（４Ｃ）に呼び径５０の排水管（１０Ｊ）の始点を接続し、合流させ、横引き配管に変換している。一方、シンクからの排水管（１０Ｇ）は大曲エルボ（７Ｂ、７Ｃ）を介し、さらにＹ継手（１７）により、排水管（１０Ｊ）に合流させている。合流させた排水管（１０Ｋ）はさらに延長し、屋内の集合ます（不図示）、もしくは屋外の排水ます（不図示）へ接続する。排水管から排水設備までの枝管を、分岐用継手（１Ｃ）で分岐することにより、排水設備の設置位置に応じて適切な配管ができ作業効率がよい。
【００３５】
また、排水設備から配管される枝管が呼び径２５の場合は、ソケット（不図示）を介してエルボ形分岐用継手（１Ｃ）の枝管接続口（６Ｃ）の差口（６１Ｃ）を使用して、枝管と接続する。その時、図８で示した段部（６３Ｉ，６３Ｊ，６３Ｋ，６３Ｌ）は始点から管路方向に若干のテーバーを設けてもよい。
【００３６】
なお、枝管（１１Ｄ）を大曲エルボで横引き配管に変換後、偏心ソケット形分岐用継手（不図示）で排水管（１０Ｊ）に合流させてもよい。
【００３７】
また、例えば、図３に示すストッパー用段差（６３Ａ、６３Ｂ、６３Ｃ、６３Ｄ）は、受口（６２Ａ）内面を均等に８分割し、間欠的に段差を形成したが、要は枝管接続時に枝管接続口（６Ａ）の管底に段差が形成されないように、複数個の段差を間欠的に形成すればよい。
【００３８】
以上、横引き配管での分岐用継手（１Ａ）の配管の説明をしたが、立て配管に図３で示す分岐用継手（１Ａ）を用いた場合、受口（６２Ａ）の段差のない管路部分（６４Ｂ、６４Ｄのどちらか）が枝管接続口（６Ａ）の管底になり、横引き配管と同様に、排水管が立て配管での合流であっても、枝管接続口（６Ａ）の管底には段差が形成されていないので、排水の停滞はおこらない。この場合、枝管接続口の管軸が継手本体の管軸と交差する分岐用継手（通常のチーズ形）を使用しても良い。
【００３９】
また、分岐用継手（１Ａ）を用途の異なるドレイン用排出管の分岐用継手として使用してもよい。枝管接続時、図３に示す受口（６２Ａ）の段差のない管路（６４Ａ）を管底とする配管を行うと、汚泥を含むドレン排水が円滑に排出される。
【図面の簡単な説明】
【００４０】
【図１】実施例１の分岐用継手の正面図である
【図２】実施例１の分岐用継手の配管状態を示した側面図である
【図３】図２のＡ−Ａ断面図である
【図４】実施例１の分岐用継手の受口に枝管を接続した配管の断面図である
【図５】実施例１の分岐用継手の差口に枝管を接続した配管の断面図である
【図６】実施例２の分岐用継手の断面図である
【図７】実施例３の分岐用継手の断面図である
【図８】図７のＣ−Ｃ断面図である
【図９】食器洗浄機の呼び径２０の枝管を排水管に合流する配管の正面視模式図である
【図１０】図９の平面視模式図である
【図１１】食器洗浄機の呼び径２５の枝管を排水管に合流する配管の平面視模式図である
【図１２】実施例３の分岐用継手を使用した配管の正面視模式図である
【図１３】図１２の平面視模式図である
【図１４】従来例（断面図）である
【符号の説明】
【００４１】
１Ａ，１Ｂ，１Ｃ          分岐用継手  
２Ａ，２Ｂ，２Ｃ          継手本体
３Ａ，３Ｂ                上流排水管接続口
４Ａ，４Ｂ．４Ｃ          下流排水管接続口
５Ａ，５Ｂ                分岐部
６Ａ，６Ｂ，６Ｃ          枝管接続口
６１Ａ，６１Ｂ，６１Ｃ    差口
６２Ａ，６２Ｂ，６２Ｃ    受口
６３                      段部
１０                      排水管
１１                      呼び径２０の枝管
１２                      呼び径２５の枝管
【図１】
2005113419.tif 000003
【図２】
2005113419.tif 000004
【図３】
2005113419.tif 000005
【図４】
2005113419.tif 000006
【図５】
2005113419.tif 000007
【図６】
2005113419.tif 000008
【図７】
2005113419.tif 000009
【図８】
2005113419.tif 000010
【図９】
2005113419.tif 000011
【図１０】
2005113419.tif 000012
【図１１】
2005113419.tif 000013
【図１２】
2005113419.tif 000014
【図１３】
2005113419.tif 000015
【図１４】
2005113419.tif 000016
【手続補正書】
【提出日】平成15年10月7日(2003.10.7)
【手続補正１】
【補正対象書類名】明細書
【補正対象項目名】０００２
【補正方法】変更
【補正の内容】
【０００２】
通常、台所のシンクからの排水管は呼び径５０の塩ビ管を使用する。例えば食器洗浄機等、排水設備からの排水を宅内の排水管に接続する場合、まず、排水設備から枝管を取り出し、分岐用継手を介し排水管に合流させる。ところが、採用する食器洗浄機の排水量により、枝管は呼び径２０もしくは呼び径２５の塩ビ管を使用する。そのため、配管施工前に枝管のサイズを確認し、枝管の管種に適合した図１４に示す継手（ＴＳ受口規格品のチーズ）をサイズ別に２種類、前もって準備する必要があった。
【手続補正２】
【補正対象書類名】明細書
【補正対象項目名】０００７
【補正方法】変更
【補正の内容】
【０００７】
さらに、シンク下のスペースの有効活用のため、また床下で一括配管することによる作業の効率アップのため、通常、シンクからの排水管や、食器洗浄機などの排水設備からの枝管を床下に取り出し、床下の横配管部で排水管に枝管を合流させる配管を行っている。しかし、横配管での合流は床下のスペースに納める配管施工になるので、特に高さ方向の配管スペースを低くすることが好ましく、従来例の図１４で示す向きで、規格品のチーズ（Ｔ）の対向する両端に排水管を接続し、枝管受口（Ｂ）に枝管（Ｅ）を接続し合流させた場合、枝管（Ｅ）のチーズ本体（Ｍ）への合流位置（Ｇ）が排水管の管路に対し低く、排水管の流量により枝管への逆流や、合流部での満水の発生により食器洗浄機側器具トラップの封水破壊が生じる問題があった。
【手続補正３】
【補正対象書類名】明細書
【補正対象項目名】００２２
【補正方法】変更
【補正の内容】
【００２２】
また、分岐用継手（１Ａ）の枝管接続口（６Ａ）はチーズ本体（Ｍ）の中央から分岐されている図１４で示す規格品のチーズ（Ｔ）と比較して、枝管接続口（６Ａ）を継手本体（２Ａ）の管接線（１５）を含む位置まで偏心させ分岐している。すなわち枝管接続時、受口（６２Ａ）の管頂と継手本体（２Ａ）内周の管頂が直角にクロスしている。（図４参照）
【手続補正４】
【補正対象書類名】明細書
【補正対象項目名】００２６
【補正方法】変更
【補正の内容】
【００２６】
また、分岐用継手（１Ａ）の枝管接続口（６Ａ）はチーズ本体（Ｍ）の中央から分岐されている図１４で示す従来の枝管接続口（Ｂ）と比較して、図６で示すとおり、枝管接続時、枝管接続口（６Ｂ）を、受口（６２Ｂ）管底が継手本体（２Ｂ）の管軸（１６）を越える位置まで偏心し、分岐部（５Ｂ）から枝管接続口（Ｂ）と同じ向きに分岐している。
【手続補正５】
【補正対象書類名】明細書
【補正対象項目名】００３４
【補正方法】変更
【補正の内容】
【００３４】
次に、食器洗浄機がシンクの上流側に設置されている場合に適した配管事例として、図１２で示す実施例３の分岐用継手（１Ｃ）を使用した配管について説明する。排水設備からの呼び径２０の枝管（１１Ｄ）を床（Ｆ）から床下に取り込み、エルボ形分岐用継手（１Ｃ）の枝管接続口（６Ｃ）に接続し、９０°方向を変え、排水管接続口（４Ｃ）に呼び径５０の排水管（１０Ｊ）の始点を接続し、合流させ、横引き配管に変換している。一方、シンクからの排水管（１０Ｇ）は大曲エルボ（７Ｂ、７Ｃ）を介し、さらにＹ継手（１７）により、排水管（１０Ｊ）に合流させている。（図１２の平面視模式図である図１３参照）合流させた排水管（１０Ｋ）はさらに延長し、屋内の集合ます（不図示）、もしくは屋外の排水ます（不図示）へ接続する。排水管から排水設備までの枝管を、分岐用継手（１Ｃ）で分岐することにより、排水設備の設置位置に応じて適切な配管ができ作業効率がよい。